(57)【要約】【課題】  電力を十分効率的に利用することができ、設置及び撤去に時間及び労力を必要とせず、設置場所を容易に変更することもできる簡易休憩施設を提供する。【解決手段】  木材を主たる構成部材とする土台部１０と、支柱部２０と、屋根部３０と、ベンチ部４０と、屋根部３０の上面に配設された太陽電池パネル５０と、太陽電池パネル５０によって生じた電気を充電するバッテリー５５と、バッテリー５５から供給される電力によって作動する噴霧装置７０と、冷却装置８０と、噴霧装置７０及び冷却装置８０の作動を制御する電力制御ユニット９０と、から簡易休憩施設１を構成する。土台部１０、支柱部２０及び屋根部３０は、複数の構成体を積層して構成される。噴霧装置７０は、支柱部２０の内部空間に配設された空気供給タンク６６と、水分供給タンク７１と、駆動ポンプ７２と、噴霧供給配管７３，７４と、噴霧ノズル７５と、から構成される。【選択図】          図１
2019100108.tif 000002
【特許請求の範囲】
【請求項１】
木材を主たる構成部材とする土台部と、支柱部と、屋根部と、ベンチ部と、前記屋根部の上面に配設された太陽電池パネルと、前記太陽電池パネルによって生じた電気を充電するバッテリーと、前記バッテリーから供給される電力によって作動する噴霧装置と、冷却装置と、前記噴霧装置及び前記冷却装置の作動を制御する電力制御ユニットと、から構成したことを特徴とする簡易休憩施設。
【請求項２】
前記土台部、前記支柱部及び前記屋根部は、複数の構成体を積層して構成されることを特徴とする請求項１に記載の簡易休憩施設。
【請求項３】
前記噴霧装置は、前記支柱部の内部空間に配設された空気供給タンクと、水分供給タンクと、駆動ポンプと、噴霧供給配管と、噴霧ノズルと、から構成されることを特徴とする請求項１又は２に記載の簡易休憩施設。
【請求項４】
前記冷却装置は、前記ベンチ部を構成するベンチ構成体に載置された座面部材に配置されたペルチェ素子から構成されることを特徴とする請求項１乃至３の何れかに記載の簡易休憩施設。
【発明の詳細な説明】
【技術分野】
【０００１】
本発明は、オフィスビルの中庭、博覧会場、競技場の前庭、広場、公園、遊歩道等に設置され、人々が日差しを避けて休憩できるようにした簡易休憩施設に関する。
【背景技術】
【０００２】
従来、オフィスビルの中庭、博覧会場、競技場、体育館の前庭、広場、公園、遊歩道等には、勤労、見学、散策等して疲れた人々が日差しを避けて暫し休憩できるように、屋根及びベンチを備えた東屋、パーゴラ等の簡易休憩施設が設けられている。
【０００３】
しかし、簡易休憩施設が設けられているのは屋外であるため、周囲の環境に大いに影響されて、夏期には蒸し暑く、冬期には肌寒いという状況で、必ずしも、人々が快適に休憩することができない場合があった。
【０００４】
そこで、最近では、単に日差しを避けるだけでなく、人々がより快適に休憩することができるように、夏期には冷風又はミストを噴出させて冷却効果を、冬期には温風を噴出させて加温効果を発揮させるようにした簡易休憩施設も提案されている（特許文献１乃至３を参照）。
【先行技術文献】
【特許文献】
【０００５】
【特許文献１】特開２００９−２８７１６６号公報
【特許文献２】特開平０９−０６０９８０号公報
【特許文献３】特開平０６−１７０２９３号公報
【発明の開示】
【発明が解決しようとする課題】
【０００６】
しかし、特許文献１及び２に開示された簡易休憩施設は、平面状又は曲面状を呈する合成樹脂製の屋根及び側板によって被覆されたものであるから、人為的な構造物との印象が強く、人々が寛ぐほどの安心感を与えるものではなかった。
【０００７】
又、特許文献１及び２に開示された簡易休憩施設は、屋根に太陽電池パネルを設置し、これによって生じた電力を用いて、照明を点灯させ、温風を噴出させてはいるが、生じた電力を未だ十分効率的に利用するものではなかった。
【０００８】
さらに、特許文献１乃至３に開示された簡易休憩施設は、設置及び撤去するのに多大な時間及び労力を必要とするので、設置場所を容易には変更することができず、撤去後には構成部材を再利用できるものではなかった。
【０００９】
本発明は、このような従来の問題点に鑑みて為されたものであって、自然に近い構造物との印象が強く、人々に寛ぐほどの安心感を与えることができ、太陽電池パネルで生じた電力を十分効率的に利用することができ、しかも、設置及び撤去するのに多大な時間及び労力を必要とせず、設置場所を容易に変更することができ、撤去後には構成部材を再利用できる簡易休憩施設を提供することを目的とする。
【課題を解決するための手段】
【００１０】
上記目的を達成するために、本発明の簡易休憩施設は、木材を主たる構成部材とする土台部と、支柱部と、屋根部と、ベンチ部と、前記屋根部の上面に配設された太陽電池パネルと、前記太陽電池パネルによって生じた電気を充電するバッテリーと、前記バッテリーから供給される電力によって作動する噴霧装置と、冷却装置と、前記噴霧装置及び前記冷却装置の作動を制御する電力制御ユニットと、から構成したことを特徴とする。
【００１１】
ここで、前記土台部、前記支柱部及び前記屋根部は、複数の構成体を積層して構成されることを特徴とする。
【００１２】
又、前記噴霧装置は、前記支柱部の内部空間に配設された空気供給タンクと、水分供給タンクと、駆動ポンプと、噴霧供給配管と、噴霧ノズルと、から構成されることを特徴とする。
【００１３】
又、前記冷却装置は、前記ベンチ部を構成するベンチ構成体に載置された座面部材に配置されたペルチェ素子から構成されることを特徴とする。
【発明の効果】
【００１４】
本発明の簡易休憩施設は、土台部、支柱部、屋根部、ベンチ部の主たる構成部材を木材としてあるから、休憩する人々は自然に近い構造物との印象を強く受け、十分に寛ぐほどの安心感を与えることができる。
【００１５】
又、本発明の簡易休憩施設は、太陽電池パネルによって生じた電力を電力制御ユニットによって効率的に使用し、噴霧装置及び冷却装置を作動させることができるから、人々に極めて快適な環境を与えると共に、高い省電力化を図ることができる。
【００１６】
さらに、木材を主たる構成部材とする土台部、支柱部、屋根部を所定の構成体を積層したものとしたから、設置及び撤去するのに多大な時間及び労力を必要とせず、設置場所を容易に変更できると共に、撤去後には構成部材を再利用することもできる。
【図面の簡単な説明】
【００１７】
【図１】本発明の簡易休憩施設の斜視図である。
【図２】本発明の簡易休憩施設の組立構成体の斜視図である。
【図３】土台部の各構成部材を示す説明図である。
【図４】土台部の（Ａ）は平面図、（Ｂ）は正面図である。
【図５】土台部にベンチ部を設置した状態の（Ａ）は平面図、（Ｂ）は正面図である。
【図６】支柱構成枠体の平面図及び支柱構成枠体の構成方法を示す説明図である。
【図７】土台部にベンチ部及び支柱部を設置した状態の（Ａ）は平面図、（Ｂ）は正面図である。
【図８】屋根部の構成方法を示す説明図である。
【図９】土台部にベンチ部、支柱部及び屋根部を設置した状態の（Ａ）は平面図、（Ｂ）は正面図である。
【図１０】本発明の簡易休憩施設の組立構成体に太陽電池パネルを設置した状態の平面図である。
【図１１】噴霧装置の設置状態の（Ａ）は平面図、（Ｂ）は正面図である。
【図１２】ベンチ構成体の設置状態を示す平面図である。
【図１３】ペルチェ素子の概略構造を示す斜視図である。
【図１４】本発明の簡易休憩施設における付設設備・装置とその電源供給・制御システムを示す説明図である。
【図１５】時刻に対応した噴霧状態を示す説明図である。
【図１６】本発明の簡易休憩施設の構成部材の再使用サイクル及び再利用サイクルを説明する概念図である。
【発明を実施するための形態】
【００１８】
本発明の簡易休憩施設の好適な一実施形態について、以下、図面を参照して詳細に説明する。
【００１９】
本発明の簡易休憩施設１は、図１及び図２に示すように、土台部１０と、支柱部２０と、屋根部３０と、ベンチ部４０と、から構成される組立構成体１００と、太陽電池パネル５０と、バッテリー５５と、照明装置６０と、送風装置６５と、噴霧装置７０と、冷却装置８０と、電力制御ユニット９０と、から構成される付設設備・装置２００と、から構成してある。
【００２０】
土台部１０は、図２乃至図４に示すように、表面積の異なる３体の六角形状を呈する木製の土台構成板体１１，１２，１３を重ね合わせて構成してある。
土台構成板体１１は、複数の構成板分割体１１ａ，１１ａ，１１ａ，１１ａ，１１ｂ，１１ｂ，１１ｃに分割されており、これらを連結することによって構成してある。
他の土台構成板体１２，１３の構成も、土台構成板体１１と同様である。
尚、本発明の簡易休憩施設１においては、各土台構成板体１１，１２，１３の材料として、高強度、軽量性、断熱性に優れた直交集積材（ＣＬＴ：Cross Laminated Timber）を採用している。
【００２１】
支柱部２０は、図２，図６及び図７に示すように、同一の表面積を有する複数の六角形状を呈する木製の支柱構成枠体２１を積層させて構成してある。
支柱構成枠体２１は、図６に示すように、３本の梁材２１ａ，２１ａ，２１ｂを位相差６０°を為して３段に配置し、これらを連結することによって構成してある。
【００２２】
屋根部３０は、図２，図８及び図９に示すように、表面積の異なる４体の六角形状を呈する木製の屋根構成枠体３１，３２，３３，３４を積層させて構成してある。
屋根構成枠体３１は、図６に示すと同様にして、５本の梁材３１ａ，３１ａ，３１ｂ，３１ｂ，３１ｃを位相差６０°を為して３段に配置し、これらを連結することによって構成してある。
他の屋根構成枠体３２，３３，３４の構成も、構成する梁材３２，３３，３４の本数が異なることを除いて、屋根構成枠体３１と同様である。
【００２３】
ベンチ部４０は、図２及び図５に示すように、前記支柱部２０の３辺から外方に放射状に延びるように、木製のベンチ構成体４１，４１，４１を配置してある。
そして、ベンチ構成体４１の上面にセラミック製の座面部材４２を載置してあり、座面部材４２は、上面部材４３と、下面部材４４と、それらの間に介在させたペルチェ素子８１と、から構成してある。
又、ベンチ構成体４１の下方の適宜位置に、給気ファン６７と、電力制御ユニット９０と、を配設してある。
【００２４】
太陽電池パネル５０は、図１及び図１０に示すように、多数の太陽電池セル５０ａを集積したものであって、支持部材５１，５１，５１を屋根部３０の上面に配設し、それら支持部材５１，５１，５１に３体の太陽電池パネル５０，５０，５０をそれぞれ６０°の角度を為して配設してある。
【００２５】
バッテリー５５は、太陽電池パネル５０の下方の適宜位置に配置されており、太陽電池パネル５０によって生じた電気を充電するようになっている。
【００２６】
照明装置６０は、図１に示すように、支柱部２０の支柱構成枠体２１の各頂点位置に、垂直方向に設置されており、バッテリー５５から電力を供給されて点灯するようになっている。
【００２７】
送風装置６５は、図１及び図１１に示すように、空気供給タンク６６と、ベンチ構成体４１の下方の適宜位置に配設した給気ファン６７と、から構成されている。
空気供給タンク６６の上部側面には多数の送風口６６ａを形成してあり、給気ファン６７の作動によって送風口６６ａから涼風が側方へ噴出するようになっている。
【００２８】
噴霧装置７０は、図１及び図１１に示すように、支柱部２０の内部空間に配設された空気供給タンク６６と、水分供給タンク７１と、駆動ポンプ７２と、支柱部２０の内部空間に配置された噴霧供給配管７３と、屋根部３０に配設された噴霧供給配管７４と、噴霧ノズル７５と、から構成されている。
【００２９】
冷却装置８０は、図１，図５及び図１２に示すように、ベンチ構成体４１の上面に載置した座面部材４２に内蔵させたペルチェ素子８５から構成されている。
ペルチェ素子８１は、異なる金属を接合した回路に直流電流を流すと、一方の接合部で吸熱作用、他方の接合部で発熱作用が惹起するというペルチェ効果を奏する熱電変換素子であって、図１３に示すように、Ｐ型熱電半導体８２、Ｎ型熱電半導体８３の両端に銅電極８４を固着し、その銅電極８４に絶縁性及び熱伝導性を有するセラミック基板８５，８５を固着して使用される。
ここで、セラミック基板８５，８５をそのまま座面部材４２の上面部材４３、下面部材４４としてもよい。
【００３０】
電力制御ユニット９０は、バッテリー５５から供給される電力を制御して、前記照明装置６０、送風装置６５、噴霧装置７０、冷却装置８０等を作動させるものである。
尚、電力制御ユニット９０は、クラウドコンピューティングによって、携帯端末機、携帯電話機によって、遠隔操作ができるようになっている。
【００３１】
本発明の簡易休憩施設１は、以上のような構成であるから、以下のようにして組立て、設置することができる。
【００３２】
先ず、図３に示すように、構成板分割体１１ａ，１１ａ，１１ａ，１１ａ，１１ｂ，１１ｂ，１１ｃを連結して土台構成板体１１を構成し、同様に、土台構成板体１２，１３を構成する。
そして、土台構成板体１１に土台構成板体１２，１３を位相差６０°を為して３層に載置し、連通ボルトによって互いを連結すれば、図４に示すように、土台部１０を構成することができる。
【００３３】
次に、図５に示すように、土台部１０の中央部に１層目の支柱構成枠体２１を載置し、その３辺から外方に放射状に延びるように、木製のベンチ構成体４１，４１，４１を配置して、ベンチ部４０を構成する。
【００３４】
次に、図７に示すように、１層目の支柱構成枠体２１の上方に、順次、支柱構成枠体２１を積層していき、全部で支柱構成枠体２１を１２層積層し、連通ボルトによって互いを連結すれば、支柱部２０を構成することができる。
【００３５】
次に、支柱部２０を構成する最上層の支柱構成枠体２１の上面に屋根構成枠体３１を載置し、順次、屋根構成枠体３２，３３，３４を積層し、全部で４層積層し、連通ボルトによって互いを連結すれば、図９に示すように、屋根部３０を構成することができる。
【００３６】
以上のようにして、図２に示すように、土台部１０と、支柱部２０と、屋根部３０と、ベンチ部４０と、から構成される組立構成体１００を構成することができる。
【００３７】
さらに、支持部材５１，５１，５１を屋根部３０の上面に配設し、支持部材５１，５１，５１に３体の太陽電池パネル５０，５０，５０を配設すれば、図１０に示すように、屋根部３０の上面に太陽電池パネル５０を設置することができる。
【００３８】
一方、本発明の簡易休憩施設１は、以上のような組立て、設置する手順と逆の手順を実施することによって、容易に、分解し、撤去することができる。
【００３９】
次に、本発明の簡易休憩施設１の付設設備・装置２００について、その操作、動作等を説明する。
【００４０】
先ず、照明装置６０は、図１４に示すように、適宜位置に配設したスイッチの操作又はセンサーの検知によってリレースイッチ６１が作動することによって、支柱部２０の周囲を照明することができる。
【００４１】
次に、送風装置６５は、図１４に示すように、適宜位置に配設したスイッチの操作又はセンサーの検知によってリレースイッチ７６が作動することによって、図１１に示すように、給気ファン６７が駆動して、支柱部２０の内部空間に配設された空気供給タンク６６から空気を供給し、上部側面に形成した送風口６６ａから涼風が側方へ噴出するようになっている。
よって、簡易休憩施設１のベンチ部４０に座って休憩している人々の身体に涼風を送ることができる。
【００４２】
次に、噴霧装置７０は、図１４に示すように、適宜位置に配設したスイッチの操作又はセンサーの検知によってリレースイッチ７６が作動することによって、図１１に示すように、駆動ポンプ７２が駆動して、支柱部２０の内部空間に配設された空気供給タンク６６から空気を、水分供給タンク７１から水分を噴霧供給配管７３，７４に供給する。
そして、図１１に示すように、屋根部３０に配設した複数の噴霧ノズル７５，７５から噴霧（ミスト）が下方に吐出することによって、簡易休憩施設１及びこれに休憩している人々の身体を冷却することができる。
【００４３】
次に、冷却装置８０は、図１４に示すように、適宜位置に配設したスイッチの操作又センサーの検知によってリレースイッチ７６が作動することによって、図１２及び図１３に示すように、ベンチ構成体４１の上面に載置した座面部材４２に内蔵させたペルチェ素子８１に電圧が印加されることによって、ベンチ部４０の座面部材４２を冷却することができる。
【００４４】
以上においては、スイッチの操作又はセンサーの検知によって、各付設設備・装置２００を作動させることを説明したが、図１４に示すように、クラウドコンピューティングを利用して、携帯端末機９１、携帯電話機９２によって遠隔操作し、電力制御ユニット９０を作動させて、照明装置６０、送風装置６５、噴霧装置７０、冷却装置８０等を作動させることもできる。
【００４５】
さらに、日照センサー、照度センサー等を屋根部３０の外周部に周方向に等間隔で配設しておけば、図１５に示すように、日射方向を検知することができて、各時刻において日陰となる領域に、より多量に噴霧（ミスト）を吐出させることができる。
これによって、本発明の簡易休憩施設１において休憩している人々に、あたかも木陰の下にいる涼感を体感して貰うことができる。
【００４６】
以上のように、本発明の簡易休憩施設１は、現地で比較的容易に、かつ、短時間で組立て、設置することができるので、オフィスビルの中庭、博覧会場、競技場の前庭、広場、公園、遊歩道等、適宜場所に設置することができる。
又、屋根部３０を連結し、複数の簡易休憩施設１を連結すれば、より広い簡易休憩施設を構成することができる。
【００４７】
又、本発明の簡易休憩施設１は、電源コードを介して電力系統に連係させず、付設された太陽電池パネル５０、バッテリー５５及び電力制御ユニット９０によって、その全ての電力を賄うように構成してあるから、電力系統との連係、分離等をする必要はなく、組立て、設置、解体、撤去を容易にすると共に、ある程度の面積の平地さえあれば、場所を選ぶことなく設置することができる。
【００４８】
尚、電力制御ユニット９０は、上述のように、バッテリー５５から供給される電力を制御して、前記照明装置６０、送風装置６５、噴霧装置７０、冷却装置８０等を作動させるものであるが、さらに、太陽電池パネル５０の発電量、バッテリー５５の蓄電量をモニタリングする機能を保有させてもよい。これによれば、各装置を一時的に省エネルギー動作にして、電力の消耗を防止することができると共に、優先順位を付した動作を実行することもできる。
【００４９】
又、照度センサー、温度センサー、湿度センサー等による検出値、現在の時刻に対応させて、照明装置６０の設定照度、送風装置６５、噴霧装置７０、冷却装置８０等の動作時間、設定温度、湿度等を制御する機能を保有させれば、フィードバック制御又はフィードフォワード制御を駆使して、簡易休憩施設１において休憩する人々に、より快適な環境を与えることができので、極めて好ましい。
【００５０】
さらに、本発明の簡易休憩施設１は、上述のように、組立て、設置、解体、撤去が比較的に容易であるから、図１６に示すように、公園、運動場に設置し、イベント会場に設置し、次いで、市中の広場に設置する等、いわゆる再使用（REUSE）ができて、極めて実用的である。
【００５１】
又、図１６に示すように、組立構成体１００は、その殆どが木材を材料としているものであるから、使用後には各構成材に解体し、粉砕し、焼却することによって、バイオマス発電することができて、電気エネルギーを供給することができる。
さらに、焼却によって発生した二酸化炭素によって間接的に森林資源を育成でき、これを伐採し、製材することによって、再度、組立構成体１００の各構成材を形成する材料とすることができ、いわゆる再利用（RECYCLE）ができて、環境にも好ましい。
【符号の説明】
【００５２】
１  簡易休憩施設
１０  土台部
１１，１２，１３  土台構成板体
２０  支柱部
２１  支柱構成枠体
３０  屋根部
３１，３２，３３，３４  屋根構成枠体
４０  ベンチ部
４１  ベンチ構成体
４２  座面部材
５０  太陽電池パネル
５５  バッテリー
６０  照明装置
６５  送風装置
６６  給気ファン
７０  噴霧装置
６６  空気供給タンク
７１  水分供給タンク
７２  駆動ポンプ
７３，７４  噴霧供給配管
７５  噴霧ノズル
８０  冷却装置
８１  ペルチェ素子
９０  電力制御ユニット
【図１】
2019100108.tif 000003
【図２】
2019100108.tif 000004
【図３】
2019100108.tif 000005
【図４】
2019100108.tif 000006
【図５】
2019100108.tif 000007
【図６】
2019100108.tif 000008
【図７】
2019100108.tif 000009
【図８】
2019100108.tif 000010
【図９】
2019100108.tif 000011
【図１０】
2019100108.tif 000012
【図１１】
2019100108.tif 000013
【図１２】
2019100108.tif 000014
【図１３】
2019100108.tif 000015
【図１４】
2019100108.tif 000016
【図１５】
2019100108.tif 000017
【図１６】
2019100108.tif 000018